【手続補正書】
【提出日】平成20年4月11日(2008.4.11)
【手続補正１】
【補正対象書類名】明細書
【補正対象項目名】特許請求の範囲
【補正方法】変更
【補正の内容】
【特許請求の範囲】
【請求項１】  印刷ジョブの印刷処理を実行する印刷手段と、
前記印刷手段による前記印刷ジョブの印刷処理に関するエラーが発生した場合に、実行可能な後続ジョブの印刷準備が完了していれば当該後続ジョブの印刷処理を前記印刷ジョブの印刷処理に先行して実行し、
前記実行可能な後続ジョブの印刷準備が完了していなければ、前記印刷ジョブの印刷処理に関するエラーが解消されたか否かを判定し、当該エラーが解消されていれば前記印刷ジョブの印刷処理を前記後続ジョブの印刷処理に先行して実行する、制御手段と
を有することを特徴とする印刷装置。
【請求項２】  前記印刷手段による印刷ジョブの印刷処理に関するエラーが発生した場合に当該エラーの種類を識別する識別手段と、
前記識別手段によって識別されたエラーの種類に基づいて、実行可能な後続ジョブを特定する特定手段と
をさらに備えることを特徴とする請求項１に記載の印刷装置。
【請求項３】  前記印刷ジョブのエラー内容を表示し、ユーザーから前記印刷ジョブに関する指示を受けるユーザー・インターフェース手段をさらに備えることを特徴とする請求項１又は２に記載の印刷装置。
【請求項４】  前記後続ジョブの印刷準備の完了は、当該後続ジョブの中間コード・データへの変換の完了であることを特徴とする請求項１乃至３のいずれかに記載の印刷装置。
【請求項５】  前記印刷ジョブの印刷処理に関するエラーは、当該印刷ジョブで使用する給紙部に関するエラー、または当該印刷ジョブで使用する排紙先に関するエラーであることを特徴とする請求項１乃至４のいずれかに記載の印刷装置。 
【請求項６】  印刷ジョブの印刷処理を実行する印刷ステップと、
前記印刷ステップにおける印刷ジョブの印刷処理に関するエラーが発生した場合に、実行可能な後続ジョブの印刷準備が完了していれば当該後続ジョブの印刷処理を前記印刷ジョブの印刷処理に先行して実行し、
前記後続ジョブの解析が完了していなければ、前記印刷ジョブの印刷処理に関するエラーが解消されたか否かを判定し、当該エラーが解消されていれば前記印刷ジョブの印刷処理を前記後続ジョブの印刷処理に先行して実行する制御ステップと
を有することを特徴とする印刷ジョブ管理方法。
【請求項７】  前記印刷ステップにおける印刷ジョブの印刷処理に関するエラーが発生した場合に当該エラーの種類を識別する識別ステップと、
前記識別ステップで識別されたエラーの種類に基づいて、実行可能な後続ジョブを特定する特定ステップと
を有することを特徴とする請求項６に記載の印刷ジョブ管理方法。
【請求項８】  前記印刷ジョブのエラー内容を表示する表示ステップと、該表示ステップで表示した内容についてユーザーからの印刷ジョブに関する指示を受ける受付ステップをさらに有することを特徴とする請求項６または７に記載の印刷ジョブ管理方法。
【請求項９】  前記後続ジョブの印刷準備の完了は、当該後続ジョブの中間コード・データへの変換の完了であることを特徴とする請求項６乃至８のいずれかに記載の印刷ジョブ管理方法。
【請求項１０】  前記印刷ジョブの印刷処理に関するエラーは、当該印刷ジョブで使用する給紙部に関するエラー、または当該印刷ジョブで使用する排紙先に関するエラーであることを特徴とする請求項６乃至９のいずれかに記載の印刷ジョブ管理方法。
【請求項１１】  印刷処理を実行する印刷手段に接続された印刷制御装置であって、
印刷ジョブのデータを前記印刷手段に転送する転送手段と、
前記転送手段による前記印刷ジョブのデータの転送中に、当該印刷ジョブに関するエラーが発生した場合に、後続ジョブのデータの転送準備が完了していれば、前記後続ジョブのデータを前記印刷ジョブのデータに先行して前記印刷手段に転送し、
前記後続ジョブのデータの転送準備が完了していなければ、前記印刷ジョブに関するエラーが解消されたか否かを判定し、当該エラーが解消されていれば前記印刷ジョブのデータを前記後続ジョブのデータに先行して前記印刷手段に転送する、制御手段と
を有することを特徴とする印刷制御装置。
【請求項１２】  前記転送手段は、前記印刷ジョブのデータの展開処理が完了している場合に、前記後続ジョブのデータを前記印刷手段へ転送するよう制御することを特徴とする請求項１１に記載の印刷制御装置。
【請求項１３】  前記転送手段は、前記後続ジョブのデータの展開処理が完了している場合に、当該後続ジョブのデータを前記印刷手段へ転送するよう制御することを特徴とする請求項１１又は１２に記載の印刷制御装置。
【請求項１４】  前記転送手段は、前記印刷ジョブのデータの展開処理が完了していない場合に、或いは前記後続ジョブのデータの展開処理が完了していない場合に、前記後続ジョブのデータを前記印刷手段へ転送しないよう制御することを特徴とする請求項１１に記載の印刷制御装置。
【請求項１５】  前記転送手段は、前記印刷ジョブのデータの前記印刷手段への転送中に、前記印刷ジョブで使用する給紙部に関するエラーが発生した場合、エラーが発生した印刷ジョブで使用する給紙部と後続ジョブで使用する給紙部とが異なっていれば、当該後続ジョブのデータを前記印刷手段へ転送するよう制御することを特徴とする請求項１１乃至１４のいずれかに記載の印刷制御装置。
【請求項１６】  前記転送手段は、前記印刷ジョブのデータの前記印刷手段への転送中に、前記印刷ジョブで使用する排紙部に関するエラーが発生した場合、エラーが発生した印刷ジョブで使用する排紙部と後続ジョブで使用する排紙部とが異なっていれば、当該後続ジョブのデータを前記印刷手段へ転送するよう制御することを特徴とする請求項１１乃至１５のいずれかに記載の印刷制御装置。
【請求項１７】  前記印刷ジョブのエラー内容を表示し、ユーザーからの前記印刷ジョブに関する指示を受けるユーザー・インターフェース手段をさらに備えることを特徴とする請求項１１乃至１５のいずれかに記載の印刷制御装置。
【請求項１８】  前記後続ジョブの転送準備の完了は、当該後続ジョブの中間コード・データへの変換の完了であることを特徴とする請求項１１に記載の印刷制御装置。
【請求項１９】  前記印刷ジョブの印刷処理に関するエラーは、当該印刷ジョブで指定された用紙に関するエラー、または当該印刷ジョブで指定された排紙先に関するエラーであることを特徴とする請求項１１に記載の印刷装置。
【請求項２０】  印刷処理を実行する印刷手段に接続された印刷制御装置における印刷制御方法であって、
印刷ジョブのデータを前記印刷手段に転送する転送ステップと、
前記転送ステップによる前記印刷ジョブのデータの転送中に、当該印刷ジョブに関するエラーが発生した場合に、後続ジョブのデータの転送準備が完了していれば、前記後続ジョブのデータを前記印刷ジョブのデータに先行して前記印刷手段に転送し、
前記後続ジョブのデータの転送準備が完了していなければ、前記印刷ジョブに関するエラーが解消されたか否かを判定し、当該エラーが解消されていれば前記印刷ジョブのデータを前記後続ジョブのデータに先行して前記印刷手段に転送する、制御ステップと
を有することを特徴とする印刷制御方法。
【請求項２１】  印刷処理を実行する印刷手段に接続された印刷制御装置のための印刷制御プログラムであって、前記印刷制御プログラムは、
印刷ジョブのデータを前記印刷手段に転送する転送ステップと、
前記転送ステップによる前記印刷ジョブのデータの転送中に、当該印刷ジョブに関するエラーが発生した場合に、後続ジョブのデータの転送準備が完了していれば、前記後続ジョブのデータを前記印刷ジョブのデータに先行して前記印刷手段に転送し、
前記後続ジョブのデータの転送準備が完了していなければ、前記印刷ジョブに関するエラーが解消されたか否かを判定し、当該エラーが解消されていれば前記印刷ジョブのデータを前記後続ジョブのデータに先行して前記印刷手段に転送する、制御ステップと
をコンピュータに実行させることを特徴とする印刷制御プログラム。
【手続補正２】
【補正対象書類名】明細書
【補正対象項目名】０００８
【補正方法】変更
【補正の内容】
【０００８】
【課題を解決するための手段】
本発明は、このような目的を達成するために、請求項１に記載の発明は、印刷ジョブの印刷処理を実行する印刷手段と、前記印刷手段による前記印刷ジョブの印刷処理に関するエラーが発生した場合に、実行可能な後続ジョブの印刷準備が完了していれば当該後続ジョブの印刷処理を前記印刷ジョブの印刷処理に先行して実行し、前記実行可能な後続ジョブの印刷準備が完了していなければ、前記印刷ジョブの印刷処理に関するエラーが解消されたか否かを判定し、当該エラーが解消されていれば前記印刷ジョブの印刷処理を前記後続ジョブの印刷処理に先行して実行する、制御手段とを有することを特徴とするものである。
【手続補正３】
【補正対象書類名】明細書
【補正対象項目名】０００９
【補正方法】変更
【補正の内容】
【０００９】
また、請求項２に記載の発明は、請求項１に記載の印刷装置であって、前記印刷手段による印刷ジョブの印刷処理に関するエラーが発生した場合に当該エラーの種類を識別する識別手段と、前記識別手段によって識別されたエラーの種類に基づいて、実行可能な後続ジョブを特定する特定手段とをさらに備えることを特徴とするものである。
【手続補正４】
【補正対象書類名】明細書
【補正対象項目名】００１０
【補正方法】変更
【補正の内容】
【００１０】
また、請求項３に記載の発明は、請求項１又は２に記載の印刷装置であって、前記印刷ジョブのエラー内容を表示し、ユーザーから前記印刷ジョブに関する指示を受けるユーザー・インターフェース手段をさらに備えることを特徴とするものである。
【手続補正５】
【補正対象書類名】明細書
【補正対象項目名】００１１
【補正方法】変更
【補正の内容】
【００１１】
また、請求項４に記載の発明は、請求項１乃至３のいずれかに記載の印刷装置であって、前記後続ジョブの印刷準備の完了は、当該後続ジョブの中間コード・データへの変換の完了であることを特徴とするものである。
【手続補正６】
【補正対象書類名】明細書
【補正対象項目名】００１２
【補正方法】変更
【補正の内容】
【００１２】
また、請求項５に記載の発明は、請求項１乃至４のいずれかに記載の印刷装置であって、前記印刷ジョブの印刷処理に関するエラーは、当該印刷ジョブで使用する給紙部に関するエラー、または当該印刷ジョブで使用する排紙先に関するエラーであることを特徴とするものである。
【手続補正７】
【補正対象書類名】明細書
【補正対象項目名】００１３
【補正方法】変更
【補正の内容】
【００１３】
また、請求項６に記載の発明は、印刷ジョブの印刷処理を実行する印刷ステップと、前記印刷ステップにおける印刷ジョブの印刷処理に関するエラーが発生した場合に、実行可能な後続ジョブの印刷準備が完了していれば当該後続ジョブの印刷処理を前記印刷ジョブの印刷処理に先行して実行し、前記後続ジョブの解析が完了していなければ、前記印刷ジョブの印刷処理に関するエラーが解消されたか否かを判定し、当該エラーが解消されていれば前記印刷ジョブの印刷処理を前記後続ジョブの印刷処理に先行して実行する制御ステップとを有することを特徴とする。
【手続補正８】
【補正対象書類名】明細書
【補正対象項目名】００１４
【補正方法】変更
【補正の内容】
【００１４】
また、請求項７に記載の発明は、請求項６に記載の印刷ジョブ管理方法であって、前記印刷ステップにおける印刷ジョブの印刷処理に関するエラーが発生した場合に当該エラーの種類を識別する識別ステップと、前記識別ステップで識別されたエラーの種類に基づいて、実行可能な後続ジョブを特定する特定ステップとを有することを特徴とする。
【手続補正９】
【補正対象書類名】明細書
【補正対象項目名】００１５
【補正方法】変更
【補正の内容】
【００１５】
また、請求項８に記載の発明は、請求項６または７に記載の印刷ジョブ管理方法であって、前記印刷ジョブのエラー内容を表示する表示ステップと、該表示ステップで表示した内容についてユーザーからの印刷ジョブに関する指示を受ける受付ステップをさらに有することを特徴とする。
【手続補正１０】
【補正対象書類名】明細書
【補正対象項目名】００１６
【補正方法】変更
【補正の内容】
【００１６】
また、請求項９に記載の発明は、請求項６乃至８のいずれかに記載の印刷ジョブ管理方法であって、前記後続ジョブの印刷準備の完了は、当該後続ジョブの中間コード・データへの変換の完了であることを特徴とする。
【手続補正１１】
【補正対象書類名】明細書
【補正対象項目名】００１７
【補正方法】変更
【補正の内容】
【００１７】
また、請求項１０に記載の発明は、請求項６乃至９のいずれかに記載の印刷ジョブ管理方法であって、前記前記印刷ジョブの印刷処理に関するエラーは、当該印刷ジョブで使用する給紙部に関するエラー、または当該印刷ジョブで使用する排紙先に関するエラーであることを特徴とする。
【手続補正１２】
【補正対象書類名】明細書
【補正対象項目名】００１８
【補正方法】変更
【補正の内容】
【００１８】
また、請求項１１に記載の発明は、印刷処理を実行する印刷手段に接続された印刷制御装置であって、印刷ジョブのデータを前記印刷手段に転送する転送手段と、前記転送手段による前記印刷ジョブのデータの転送中に、当該印刷ジョブに関するエラーが発生した場合に、後続ジョブのデータの転送準備が完了していれば、前記後続ジョブのデータを前記印刷ジョブのデータに先行して前記印刷手段に転送し、前記後続ジョブのデータの転送準備が完了していなければ、前記印刷ジョブに関するエラーが解消されたか否かを判定し、当該エラーが解消されていれば前記印刷ジョブのデータを前記後続ジョブのデータに先行して前記印刷手段に転送する制御手段とを有することを特徴とするものである。
【手続補正１３】
【補正対象書類名】明細書
【補正対象項目名】００１９
【補正方法】変更
【補正の内容】
【００１９】
また、請求項１２に記載の発明は、請求項１１に記載の印刷制御装置であって、前記転送手段は、前記印刷ジョブのデータの展開処理が完了している場合に、前記後続ジョブのデータを前記印刷手段へ転送するよう制御することを特徴とするものである。
【手続補正１４】
【補正対象書類名】明細書
【補正対象項目名】００２０
【補正方法】変更
【補正の内容】
【００２０】
また、請求項１３に記載の発明は、請求項１１或いは１２に記載の印刷制御装置であって、前記転送手段は、前記後続ジョブのデータの展開処理が完了している場合に、当該後続ジョブのデータを前記印刷手段へ転送するよう制御することを特徴とするものである。
【手続補正１５】
【補正対象書類名】明細書
【補正対象項目名】００２１
【補正方法】変更
【補正の内容】
【００２１】
また、請求項１４に記載の発明は、請求項１１に記載の印刷制御装置であって、前記転送手段は、前記印刷ジョブのデータの展開処理が完了していない場合に、或いは前記後続ジョブのデータの展開処理が完了していない場合に、前記後続ジョブのデータを前記印刷手段へ転送しないよう制御することを特徴とするものである。
【手続補正１６】
【補正対象書類名】明細書
【補正対象項目名】００２２
【補正方法】変更
【補正の内容】
【００２２】
また、請求項１５に記載の発明は、請求項１１乃至１４のいずれかに記載の印刷制御装置であって、前記転送手段は、前記印刷ジョブのデータの前記印刷手段への転送中に、前記印刷ジョブで使用する給紙部に関するエラーが発生した場合、エラーが発生した印刷ジョブで使用する給紙部と後続ジョブで使用する給紙部とが異なっていれば、当該後続ジョブのデータを前記印刷手段へ転送するよう制御することを特徴とするものである。
【手続補正１７】
【補正対象書類名】明細書
【補正対象項目名】００２３
【補正方法】変更
【補正の内容】
【００２３】
また、請求項１６に記載の発明は、請求項１１乃至１５のいずれかに記載の印刷制御装置であって、前記転送手段は、前記印刷ジョブのデータの前記印刷手段への転送中に、前記印刷ジョブで使用する排紙部に関するエラーが発生した場合、エラーが発生した印刷ジョブで使用する排紙部と後続ジョブで使用する排紙部とが異なっていれば、当該後続ジョブのデータを前記印刷手段へ転送するよう制御することを特徴とするものである。
【手続補正１８】
【補正対象書類名】明細書
【補正対象項目名】００２４
【補正方法】変更
【補正の内容】
【００２４】
また、請求項１７に記載の発明は、請求項１１乃至１５のいずれかに記載の印刷制御装置であって、前記印刷ジョブのエラー内容を表示し、ユーザーからの前記印刷ジョブに関する指示を受けるユーザー・インターフェース手段をさらに備えることを特徴とするものである。
【手続補正１９】
【補正対象書類名】明細書
【補正対象項目名】００２５
【補正方法】変更
【補正の内容】
【００２５】
また、請求項１８に記載の発明は、請求項１１に記載の印刷制御装置であって、前記後続ジョブの転送準備の完了は、当該後続ジョブの中間コード・データへの変換の完了であることを特徴とするものである。
【手続補正２０】
【補正対象書類名】明細書
【補正対象項目名】００２６
【補正方法】変更
【補正の内容】
【００２６】
また、請求項１９に記載の発明は、請求項１１に記載の印刷装置であって、前記印刷ジョブの印刷処理に関するエラーは、当該印刷ジョブで指定された用紙に関するエラー、または当該印刷ジョブで指定された排紙先に関するエラーであることを特徴とするものである。
【手続補正２１】
【補正対象書類名】明細書
【補正対象項目名】００２７
【補正方法】変更
【補正の内容】
【００２７】
また、請求項２０に記載の発明は、印刷処理を実行する印刷手段に接続された印刷制御装置における印刷制御方法であって、印刷ジョブのデータを前記印刷手段に転送する転送ステップと、前記転送ステップによる前記印刷ジョブのデータの転送中に、当該印刷ジョブに関するエラーが発生した場合に、後続ジョブのデータの転送準備が完了していれば、前記後続ジョブのデータを前記印刷ジョブのデータに先行して前記印刷手段に転送し、前記後続ジョブのデータの転送準備が完了していなければ、前記印刷ジョブに関するエラーが解消されたか否かを判定し、当該エラーが解消されていれば前記印刷ジョブのデータを前記後続ジョブのデータに先行して前記印刷手段に転送する、制御ステップと、を有することを特徴とする。
【手続補正２２】
【補正対象書類名】明細書
【補正対象項目名】００２８
【補正方法】変更
【補正の内容】
【００２８】
また、請求項２１に記載の発明は、印刷処理を実行する印刷手段に接続された印刷制御装置のための印刷制御プログラムであって、前記印刷制御プログラムは、印刷ジョブのデータを前記印刷手段に転送する転送ステップと、前記転送ステップによる前記印刷ジョブのデータの転送中に、当該印刷ジョブに関するエラーが発生した場合に、後続ジョブのデータの転送準備が完了していれば、前記後続ジョブのデータを前記印刷ジョブのデータに先行して前記印刷手段に転送し、前記後続ジョブのデータの転送準備が完了していなければ、前記印刷ジョブに関するエラーが解消されたか否かを判定し、当該エラーが解消されていれば前記印刷ジョブのデータを前記後続ジョブのデータに先行して前記印刷手段に転送する、制御ステップと、をコンピュータに実行させることを特徴とする。